【事件の表示】
　特願２００５−１５７００５「横電界液晶表示装置及びその駆動方法」拒絶査定不服審判事件〔平成１７年１２月１５日出願公開、特開２００５−３４６０６４〕について、次のとおり審決する。
【結　論】
　本件審判の請求は、成り立たない。
【理　由】
１　手続の経緯・本願発明
　本願は、平成１７年５月３０日（パリ条約による優先権主張２００４年５月３１日、大韓民国）の出願であって、平成２０年１１月１８日及び平成２１年１０月２日に手続補正がなされ、平成２２年３月２５日付けで前記平成２１年１０月２日付け手続補正が却下されるとともに、同日付けで拒絶査定がなされ、これに対し、平成２２年７月２９日に拒絶査定不服審判請求がなされるとともに、これと同時に手続補正がなされ、その後、当審において平成２３年６月１３日付けで拒絶理由が通知され、同年１０月１１日付けで手続補正がなされたものである。
　そして、その請求項に係る発明は、平成２３年１０月１１日付け手続補正により補正された特許請求の範囲に記載された事項により特定されるものであると認められるところ、請求項１に係る発明は次のものである。
　
「交差配列され画素領域を画成する複数のゲート配線と複数のデータ配線と、
　前記データ配線及び前記ゲート配線の交差領域に形成される薄膜トランジスタと、
　前記画素領域内で互いに対向し前記データ配線と平行に形成される一対の共通配線と、
　前記共通配線と一体に形成され、前記データ配線に垂直な方向に対して所定の傾斜角を有するように形成される複数の共通電極であって、画素領域の中心を基準にして、一方の半分のエリアに形成される共通電極が同一の正の傾斜角を有し、他方の半分のエリアに形成される共通電極が同一の負の傾斜角を有している複数の共通電極と、
　前記共通配線とオーバーラップされるように配置される一対の画素電極配線と、
　前記画素電極配線と一体に形成される複数の画素電極であって、その各々が前記複数の共通電極のうちの対応する１つのものとペアをなし、かつ平行な傾斜角を有し、前記共通電極と交互に配置されている複数の画素電極と、を含み、
　前記ゲート配線は前記共通電極と画素電極と平行に所定の傾斜角を有するように形成され、
　前記ゲート配線は、前記データ配線方向に隣接するゲート配線と互いに対称的に傾いており、
　隣接するゲート配線が、前記画素領域の水平中心線に対して互いに対称的に傾いており、
　前記ゲート配線、共通電極および画素電極は、前記データ配線に垂直な方向に対して５度から３５度までの範囲内の角度だけ傾けて配列され、
　前記データ配線に隣接する共通配線は、８μｍ以下の幅で形成されることを特徴とする横電界液晶表示装置。」（以下「本願発明」という。）
　
　
２　引用例
　当審において拒絶の理由に引用された、本願の優先権主張の日前の他の出願であって、その出願後に出願公開された特願２００３−４０５１２３号（以下「先願」という。特開２００４−１８５０１１号公報参照。）の願書に最初に添付した明細書及び図面（以下「先願明細書」という。）には、図とともに以下の事項が記載されている。
　
（１）「【特許請求の範囲】
【請求項１】
  ゲート線と、
  前記ゲート線と絶縁されて交差するデータ線と、
  前記ゲート線と前記データ線の交差により定義される台形状の画素領域に少なくとも二つ以上で各々形成され、一定の間隔をおいて互いに平行に対向する線形の共通電極及び画素電極と、
  前記ゲート線、データ線、及び画素電極にゲート電極、ソース電極、及びドレーン電極が各々連結されている薄膜トランジスタとを含む液晶表示装置用薄膜トランジスタ表示板。
【請求項２】
  前記ゲート線は前記画素領域の境界で屈曲されている、請求項１に記載の液晶表示装置用薄膜トランジスタ表示板。
【請求項３】
  前記共通電極及び前記画素電極は前記ゲート線と平行に配列されている、請求項１に記載の液晶表示装置用薄膜トランジスタ表示板。
・・・
【請求項５】
  前記共通電極と連結され、前記データ線と平行に形成されている共通電極線をさらに含む、請求項１に記載の液晶表示装置用薄膜トランジスタ表示板。
・・・
【請求項７】
  前記共通電極及び前記画素電極により駆動される液晶分子が前記データ線に対して垂直方向に配向されるようにラビングされている配向膜を含む、請求項１に記載の液晶表示装置用薄膜トランジスタ表示板。」
　
（２）「【０００１】
  本発明は、液晶表示装置及びその製造方法に関し、特に液晶分子に水平電界を印加するために、電極及び電界印加手段である薄膜トランジスタが同一基板に形成されている液晶表示装置及びその製造方法に関する。」
　
（３）「【０００４】
  本発明の課題は、水平電界駆動方式の液晶表示装置の開口率を向上させることである。・・・」
　
（４）「【００１１】
  以下、本発明の実施例による液晶表示装置用薄膜トランジスタ表示板について図面を参照して詳細に説明する。
【００１２】
  本発明による液晶表示装置用薄膜トランジスタ表示板には、台形状の画素領域を定義するゲート線とデータ線が配置され、共通電極に連結されている共通信号線はデータ線と平行に画素領域の長さ方向に延びている。また、液晶分子はデータ線及び共通信号線と垂直に初期配向され、データ線と共に画素領域を定義するゲート線は共通電極と平行に形成されている。
【００１３】
  まず、本発明第１の実施例による液晶表示装置用薄膜トランジスタ表示板について説明する。・・・
【００１４】
  図１乃至図３のように、絶縁基板１１０上に主に横方向に延びている複数のゲート線１２１が形成されている。・・・ゲート線１２１の一端付近に位置した部分（図示せず）は、外部からのゲート信号をゲート線に伝達し、各ゲート線１２１の複数の枝は、薄膜トランジスタのゲート電極１２３を構成する。この時、ゲート線１２１は、以降形成されるデータ線１７１と交差して台形状の画素領域を定義するために、画素領域の境界で屈曲されている。図中横方向に隣り合う台形状の画素領域の隣接する辺の長さは互いに一致している。台形状の画素領域を定義する４辺のうち、互いに平行な２辺はデータ線１７１で構成され、他の２辺はゲート線１２１で構成される。
【００１５】
  また、ゲート線１２１と同一層である絶縁基板１１０上部には、縦方向に平行に延びている共通電極線１３８、１３２が形成され、これら１３８、１３２を連結し、ゲート線１２１と平行に配列されている共通電極１３４が多数形成されている。この時、画素領域の最外殻に配置されている共通電極１３４と共通電極線１３８、１３２は梯子状のパターンを形成している。・・・以下、共通電極１３４と共通電極線１３８、１３２を一緒に説明する時はこれらを共通信号線と記載する。
【００１６】
  窒化ケイ素（ＳｉＮｘ）などからなるゲート絶縁膜１４０が、ゲート線１２１及び共通信号線１３２、１３４、１３６、１３８を覆っている。
【００１７】
  ゲート電極１２５のゲート絶縁膜１４０上部には、水素化非晶質シリコンなどからなる島形半導体１５０が形成され、半導体１５０上部にはシリサイドまたはｎ型不純物が高濃度にドーピングされているｎ+水素化非晶質シリコンなどで作製された複数の抵抗性接触体１６３、１６５が対となって形成されている。・・・
【００１８】
  抵抗性接触体１６３、１６５及びゲート絶縁膜１４０上には、複数のデータ線１７１及び複数のドレーン電極１７５が形成されている。・・・データ線１７１は、主に縦方向に延びてゲート線１２１と交差して台形状の画素領域のうち互いに平行な２辺を定義する。データ線１７１の複数の枝１７３は、各対の抵抗性接触体１６３、１６５の一つ１６３の上部まで延在して、薄膜トランジスタのソース電極１７３を構成する。データ線１７１の一端付近に位置した部分（図示せず）は外部からの画像信号をデータ線１７１に伝達する。薄膜トランジスタのドレーン電極１７５は、データ線１７１と分離され、ゲート電極１２３に対してソース電極１７３の反対側抵抗性接触体１６５上部に位置する。また、ゲート絶縁膜１４０の上部には、画素電極１７４、画素電極線１７２、１７８及び維持蓄電器用第２導電体パターン１７６が形成されている。画素電極１７４は共通電極１３４と平行に対向している。画素電極線１７２、１７８はドレーン電極１７５と連結され、さらに画素領域の周囲に配置されて共通電極線１３２、１３８と重なっている。・・・ここでも、画素電極１７４及び画素電極線１７２、１７８は画素信号線と記載する。
【００１９】
  データ線１７１、ドレーン電極１７５及び画素信号線１７２、１７４、１７８と、これらにより覆われない半導体１５０上部には、窒化ケイ素または平坦化特性の優れた有機物質からなる下部保護膜１８０が形成されている。保護膜１８０上には液晶分子を配向するための配向膜１１が形成されている。
【００２０】
  この時、ゲート電極１２３、ゲート絶縁膜１４０、半導体１５０、抵抗性接触制１６３、１６５、ソース及びドレーン電極１７３、１７５は薄膜トランジスタを構成する。
・・・
【００２２】
  図１に、横の矢印方向（→）は液晶分子を初期配向するための配向膜１１のラビング方向で、この方向はデータ線１７１または共通電極線１３２と垂直であることが好ましい。・・・
【００２３】
  このような本発明の第１の実施例による液晶表示装置用薄膜トランジスタ表示板においては、共通電極線１３２がデータ線１７１に平行に画素の長さ方向に形成され、しかもデータ線１７１に垂直に液晶分子が初期配向されるように配向膜１１がラビングされている。そのため、データ線１７１と共通電極線１３２に電圧差が発生して液晶分子が駆動されても、液晶分子は初期配向方向と同一方向に駆動されるので、暗く表示され側面クロストークが発生しない。従って、データ線１７１に隣接した共通信号線２４を細く形成して画素の開口率を増加させることができる。
・・・
【００２５】
  また、画素領域の最外殻に配置されている画素電極１７４及び共通電極１３４が、ゲート線１２１とデータ線１７１により定義される画素領域の辺と平行に配置されているので、画素領域の角部まで画像を表示することができる。・・・」
　
（５）「【００２６】
  前記第１の実施例では、互いに隣接する台形状の画素領域の互いに平行な２辺のうち、隣り合う画素領域の長辺同士または短辺同士が隣接するように、各画素領域が配置されているが、画素領域の互いに平行な２辺のうち、隣り合う画素領域の長辺と短辺とが隣接するように画素領域を並べて配置することもできる。・・・
【００２７】
  図４は、本発明の第２の実施例による液晶表示装置用薄膜トランジスタ基板の構造を示した配置図である。本発明の第２の実施例による液晶表示装置用薄膜トランジスタ基板の断面構造は、第１の実施例の場合と同様であるので具体的な図面は省略した。
【００２８】
  図４のように、大部分の構造は第１の実施例の場合と同様である。しかし、互いに隣接する台形状の画素領域が並んで配列されている。」
　
（６）上記（４）及び（５）に照らして図４をみると、以下のア及びイの事項がみて取れる。
　ア　「（複数の）共通電極１３４」、「（複数の）画素電極１７４」及び「（複数の）ゲート線１２１」は、それぞれ、画素領域の上半分では左下方向から右上方向へと傾き、画素領域の下半分では左上方向から右下方向へと傾いていること
　イ　「ゲート線１２１」は、「データ線１７１」方向に隣接する「ゲート線１２１」と互いに対称的に傾き、隣接する「ゲート線１２１」は、画素領域の水平中心線に対して互いに対称的に傾いていること
　
（７）上記（２）〜（５）に照らすと、図４に示された「液晶表示装置用薄膜トランジスタ基板」は、「水平電界駆動方式の液晶表示装置の開口率を向上させる」ために用いられるものであるから、先願明細書には、図４に示された「液晶表示装置用薄膜トランジスタ基板」を用いて構成される「水平電界駆動方式の液晶表示装置」が記載されている、といえる。
　
　したがって、上記記載事項を総合すると、先願明細書には次の発明（以下「先願発明」という。）が記載されているものと認められる。
　
「水平電界駆動方式の液晶表示装置であって、
　絶縁基板１１０上に主に横方向に延びている複数のゲート線１２１が形成され、ゲート線１２１の一端付近に位置した部分は、外部からのゲート信号をゲート線に伝達し、各ゲート線１２１の複数の枝は、薄膜トランジスタのゲート電極１２３を構成し、この時、ゲート線１２１は、以降形成されるデータ線１７１と交差して台形状の画素領域を定義するために、画素領域の境界で屈曲されており、横方向に隣り合う台形状の画素領域の隣接する辺の長さは互いに一致しており、台形状の画素領域を定義する４辺のうち、互いに平行な２辺はデータ線１７１で構成され、他の２辺はゲート線１２１で構成され、
　ゲート線１２１と同一層である絶縁基板１１０上部には、縦方向に平行に延びている共通電極線１３８、１３２が形成され、これら１３８、１３２を連結し、ゲート線１２１と平行に配列されている共通電極１３４が多数形成されており、この時、画素領域の最外殻に配置されている共通電極１３４と共通電極線１３８、１３２は梯子状のパターンを形成しており、
　窒化ケイ素（ＳｉＮｘ）などからなるゲート絶縁膜１４０が、ゲート線１２１及び共通信号線１３２、１３４、１３６、１３８を覆っており、
  ゲート電極１２５のゲート絶縁膜１４０上部には、水素化非晶質シリコンなどからなる島形半導体１５０が形成され、半導体１５０上部にはシリサイドまたはｎ型不純物が高濃度にドーピングされているｎ+水素化非晶質シリコンなどで作製された複数の抵抗性接触体１６３、１６５が対となって形成されており、
  抵抗性接触体１６３、１６５及びゲート絶縁膜１４０上には、複数のデータ線１７１及び複数のドレーン電極１７５が形成されており、データ線１７１は、主に縦方向に延びてゲート線１２１と交差して台形状の画素領域のうち互いに平行な２辺を定義し、データ線１７１の複数の枝１７３は、各対の抵抗性接触体１６３、１６５の一つ１６３の上部まで延在して、薄膜トランジスタのソース電極１７３を構成し、データ線１７１の一端付近に位置した部分は外部からの画像信号をデータ線１７１に伝達し、薄膜トランジスタのドレーン電極１７５は、データ線１７１と分離され、ゲート電極１２３に対してソース電極１７３の反対側抵抗性接触体１６５上部に位置し、また、ゲート絶縁膜１４０の上部には、画素電極１７４、画素電極線１７２、１７８が形成されており、画素電極１７４は共通電極１３４と平行に対向しており、画素電極線１７２、１７８はドレーン電極１７５と連結され、さらに画素領域の周囲に配置されて共通電極線１３２、１３８と重なっており、前記複数の共通電極１３４、複数の画素電極１７４及び複数のゲート線１２１は、それぞれ、画素領域の上半分では左下方向から右上方向へと傾き、画素領域の下半分では左上方向から右下方向へと傾いており、ゲート線１２１は、データ線１７１方向に隣接するゲート線１２１と互いに対称的に傾き、隣接するゲート線１２１は、画素領域の水平中心線に対して互いに対称的に傾いており、この時、ゲート電極１２３、ゲート絶縁膜１４０、半導体１５０、抵抗性接触制１６３、１６５、ソース及びドレーン電極１７３、１７５は薄膜トランジスタを構成し、横の矢印方向（→）は液晶分子を初期配向するための配向膜１１のラビング方向で、この方向はデータ線１７１または共通電極線１３２と垂直であり、
　このような液晶表示装置用薄膜トランジスタ表示板においては、共通電極線１３２がデータ線１７１に平行に画素の長さ方向に形成され、しかもデータ線１７１に垂直に液晶分子が初期配向されるように配向膜１１がラビングされているため、データ線１７１と共通電極線１３２に電圧差が発生して液晶分子が駆動されても、液晶分子は初期配向方向と同一方向に駆動されるので、暗く表示され側面クロストークが発生せず、従って、データ線１７１に隣接した共通信号線２４を細く形成して画素の開口率を増加させることができ、
　互いに隣接する台形状の画素領域の互いに平行な２辺のうち、隣り合う画素領域の長辺同士または短辺同士が隣接するように、各画素領域を配置する代わりに、画素領域の互いに平行な２辺のうち、隣り合う画素領域の長辺と短辺とが隣接するように画素領域を並べて配置することもできる、液晶表示装置用薄膜トランジスタ基板を用いることにより、
　その開口率を向上させる水平電界駆動方式の液晶表示装置。」
　
　
３　対比、判断
　本願発明と先願発明とを対比する。
（１）先願発明の「（複数の）ゲート線１２１」と「（複数の）データ線１７１」とは、交差配列され画素領域を画成するものであるといえるから、先願発明の「（複数の）ゲート線１２１」及び「（複数の）データ線１７１」は、それぞれ、本願発明の「（複数の）ゲート配線」及び「（複数の）データ配線」に相当する。
　
（２）先願発明の「（ゲート電極１２３、ゲート絶縁膜１４０、半導体１５０、抵抗性接触制１６３、１６５、ソース及びドレーン電極１７３、１７５により構成される）薄膜トランジスタ」は、「データ線１７１」及び「ゲート線１２１」の交差領域に形成されるものであるといえるから、本願発明の「前記データ配線及び前記ゲート配線の交差領域に形成される薄膜トランジスタ」に相当する。
　
（３）先願発明の「（ゲート線１２１と同一層である絶縁基板１１０上部に、縦方向に平行に延びて形成される）共通電極線１３８、１３２」は、画素領域内で互いに対向し、前記「データ線１７１」と平行に形成されるものであるといえるから、本願発明の「（前記画素領域内で互いに対向し前記データ配線と平行に形成される一対の）共通配線」に相当する。
　
（４）先願発明の「共通電極１３４」は、「共通電極線１３８、１３２を連結し」、「ゲート線１２１と平行に」「多数形成されており」、「画素領域の上半分では左下方向から右上方向へと傾き、画素領域の下半分では左上方向から右下方向へと傾いて」いるから、先願発明の「（多数形成された）共通電極１３４」は、本願発明の「（前記共通配線と一体に形成され、前記データ配線に垂直な方向に対して所定の傾斜角を有するように形成される複数の共通電極であって、画素領域の中心を基準にして、一方の半分のエリアに形成される共通電極が同一の正の傾斜角を有し、他方の半分のエリアに形成される共通電極が同一の負の傾斜角を有している複数の）共通電極」に相当する。
　
（５）先願発明の「画素電極線１７２、１７８」は、「画素領域の周囲に配置されて共通電極線１３２、１３８と重なって」いるから、本願発明の「（前記共通配線とオーバーラップされるように配置される一対の）画素電極配線」に相当する。
　
（６）先願発明の「（複数の）画素電極１７４」は、「共通電極１３４と平行に対向しており」、「画素領域の上半分では左下方向から右上方向へと傾き、画素領域の下半分では左上方向から右下方向へと傾いて」いるものであって、「画素電極線１７２、１７８」と一体に形成され、その各々が前記複数の「共通電極１３４」のうちの対応する１つのものとペアをなし、かつ平行な傾斜角を有し、前記「共通電極１３４」と交互に配置されているものであるといえるから、先願発明の「（複数の）画素電極１７４」は、本願発明の「（）前記画素電極配線と一体に形成される複数の画素電極であって、その各々が前記複数の共通電極のうちの対応する１つのものとペアをなし、かつ平行な傾斜角を有し、前記共通電極と交互に配置されている複数の）画素電極」に相当する。
　
（７）先願発明は、「ゲート線１２１」が「データ線１７１方向に隣接するゲート線１２１と互いに対称的に傾き」、「隣接するゲート線１２１」が「画素領域の水平中心線に対して互いに対称的に傾いて」いるから、先願発明は、本願発明の「前記ゲート配線は前記共通電極と画素電極と平行に所定の傾斜角を有するように形成され、前記ゲート配線は、前記データ配線方向に隣接するゲート配線と互いに対称的に傾いており」との事項を備える。
　
（８）先願発明の「水平電界駆動方式の液晶表示装置」は、本願発明の「横電界液晶表示装置」に相当する。
　
　したがって、両者は、　  
「交差配列され画素領域を画成する複数のゲート配線と複数のデータ配線と、
　前記データ配線及び前記ゲート配線の交差領域に形成される薄膜トランジスタと、
　前記画素領域内で互いに対向し前記データ配線と平行に形成される一対の共通配線と、
　前記共通配線と一体に形成され、前記データ配線に垂直な方向に対して所定の傾斜角を有するように形成される複数の共通電極であって、画素領域の中心を基準にして、一方の半分のエリアに形成される共通電極が同一の正の傾斜角を有し、他方の半分のエリアに形成される共通電極が同一の負の傾斜角を有している複数の共通電極と、
　前記共通配線とオーバーラップされるように配置される一対の画素電極配線と、
　前記画素電極配線と一体に形成される複数の画素電極であって、その各々が前記複数の共通電極のうちの対応する１つのものとペアをなし、かつ平行な傾斜角を有し、前記共通電極と交互に配置されている複数の画素電極と、を含み、
　前記ゲート配線は前記共通電極と画素電極と平行に所定の傾斜角を有するように形成され、
　前記ゲート配線は、前記データ配線方向に隣接するゲート配線と互いに対称的に傾いており、
　隣接するゲート配線が、前記画素領域の水平中心線に対して互いに対称的に傾いている、
横電界液晶表示装置。」
である点で一致し、以下の点で一応相違する。
　
相違点
　本願発明は、ゲート配線、共通電極および画素電極が、データ配線に垂直な方向に対して５度から３５度までの範囲内の角度だけ傾けて配列され、前記データ配線に隣接する共通配線は、８μｍ以下の幅で形成されるのに対し、先願発明は、ゲート配線、共通電極および画素電極が、データ配線に垂直な方向に対してどの程度の角度だけ傾けて配列されているのかが明らかではなく、また、共通配線が、どの程度の幅で形成されるのかも明らかではない点。
 　 
　上記相違点につき検討する。
　本願発明において、「ゲート配線、共通電極および画素電極」を「データ配線に垂直な方向に対して５度から３５度までの範囲内の角度だけ傾けて配列」し、また、「前記データ配線に隣接する共通配線」を「８μｍ以下の幅で形成」したことの技術的意義に関し、本願明細書には、以下のような記載がある。
　ａ　「典型的には、前記ゲート配線、共通電極及び画素電極は、前記データ配線に垂直な方向に対して４５度未満の角度だけ傾けて配列されるが、この傾き角度が、５度から３５度の間の範囲にあるといっそう効果的である。」（【００３３】）
　ｂ　「好適には、前記データ配線に隣接する共通配線は８μｍ以下の幅で形成され、及び前記ゲート配線は、前端のゲート配線とそれぞれすき間ができている構造で形成され各画素の開口領域が広げられるようにされる。」（【００３４】）
　ｃ　「【発明の効果】
　本発明に係る横電界液晶表示装置は、横電界液晶表示装置の画素電極、共通電極及びゲート配線が同一方向に対して同一な角度で形成され開口率を向上することができる。」（【００３９】、【００４０】）
　ｄ　「尚、画素領域内に配置される前記共通電極４６及び前記画素電極４８は前記データ配線４４に垂直の方向を基準に所定の傾斜角を有するように形成されている。そして傾斜角を有する共通電極４６及び画素電極４８と平行するように前記ゲート配線４２も所定の角度で傾くように形成されている。ここで傾斜角度は前記データ配線４４に垂直の方向を基準として４５度未満である。しかしながら、本発明による十分な効果を得るためには、傾斜角度としては、５度ないし３５度の範囲内の角度を用いるのが望ましい。」（【００５４】）
　本願明細書の上記記載ａ〜ｄによれば、本願発明において、「ゲート配線、共通電極および画素電極」を「データ配線に垂直な方向に対して５度から３５度までの範囲内の角度だけ傾けて配列」し、また、「データ配線に隣接する共通配線」を「８μｍ以下の幅で形成」したことの技術的意義は、横電界液晶表示装置の開口率を向上させる点にあるものと認められる。
　しかるところ、先願発明の「水平電界駆動方式の液晶表示装置」も、本願発明と同様に、その「開口率を向上させる」ことをその解決課題とするものであって、その「ゲート線１２１」、「共通電極１３４」及び「画素電極１７４」の「データ線１７１」に垂直な方向に対する傾斜角度、及び、「（データ線１７１に隣接する）共通電極線１３２」の幅は、いずれも、先願発明を具体化する上で当然定めるべきものであること、また、先願明細書には、「データ線１７１に隣接した共通信号線２４を細く形成して画素の開口率を増加させることができる。」（上記２（４）【００２３】参照。）と記載されていることに照らせば、本願発明と先願発明との上記相違点は、実質的な相違点であるとはいえない。
　
　したがって、本願発明と先願発明との間には実質的な相違点は存在せず、本願発明は先願明細書に記載された発明と同一である。
　しかも、本願発明の発明者が上記先願明細書に記載された先願発明の発明者と同一であるとも、また、本願の出願時に、その出願人が先願の出願人と同一であるとも認められないので、本願発明は、特許法第２９条の２の規定により、特許を受けることができないものである。 
　
　
４　むすび
　したがって、本願発明は、先願明細書に記載された発明と同一であり、しかも、本願発明の発明者が上記先願明細書に記載された発明の発明者と同一であるとも、また、本願の出願時に、その出願人が先願の出願人と同一であるとも認められないので、本願発明は、特許法第２９条の２の規定により特許を受けることができない。
　
　よって、結論のとおり審決する。